(57)【要約】【課題】デジタル放送番組の三桁番号による選局をなるべく簡単にすること。【解決手段】三桁番号入力選局モードに設定され（Ｓ３１０“ＹＥＳ”）、数字の入力があると（Ｓ３２０“ＹＥＳ”）、入力された数字をもとに選局対象サービスを検索し（Ｓ３３０）、検出できた場合（Ｓ３４０“ＹＥＳ”）、イベント共有情報を参照してイベント共有情報が同一の選局対象サービスが複数あるか否かを判断し（Ｓ３５０）、複数ある場合（Ｓ３５０“ＹＥＳ”）、イベント共有情報が同一の選局対象サービスを１つにする（Ｓ３６０）。次に選局対象サービスを１つに特定できるか否かを判断し（Ｓ３７０）、１つに特定できない場合（Ｓ３７０“ＮＯ”）、Ｓ３２０の処理に戻り、さらに次の数字の入力を待つ一方、選局対象サービスを１つに特定できた場合（Ｓ３７０“ＹＥＳ”）、その一つに特定された選局対象サービスを選局する（Ｓ３８０）。【選択図】図３
2008035030.tif 000002
【特許請求の範囲】
【請求項１】
三桁番号の入力によりデジタル放送番組を選局し受信するデジタル放送受信装置であって、
前記デジタル放送番組の三桁番号を入力する入力手段と、
前記入力手段によって三桁番号が入力された場合、前記デジタル放送番組間の番組共有情報を参照して前記デジタル放送番組を選局する選局手段と、
を有するデジタル放送受信装置。
【請求項２】
前記番組共有情報は、前記デジタル放送番組と共に放送されるＳＩ(Service Information)情報に含まれるＥＩＴ（Event Information Table）情報のイベント共有情報である、ことを特徴とする請求項１記載のデジタル放送受信装置。
【請求項３】
三桁番号の入力によりデジタル放送番組を選局し受信する際のデジタル放送受信方法であって、
前記デジタル放送番組の三桁番号を入力するステップと、
前記入力手段によって三桁番号が入力された場合、前記デジタル放送番組間の番組共有情報を参照して前記デジタル放送番組を選局するステップと、
を有するデジタル放送受信方法。
【発明の詳細な説明】
【技術分野】
【０００１】
本発明は、三桁番号の入力によりデジタル放送番組を選局し受信するデジタル放送受信装置およびデジタル放送受信方法に関するものである。
【背景技術】
【０００２】
従来、デジタル放送受信機における選局方法として、視聴中サービスの前後のサービスを選局するアップダウン選局、リモコンボタンにあらかじめ割り当てられたサービスを選局するワンタッチボタン選局があり、デジタル放送のような多数のサービスの中から不特定の一つのサービスを選局することができる方法として、サービスの三桁番号を入力し選局を行なう三桁番号入力選局があった。本装置では、三桁番号入力の際、三桁番号入力途中に選局対象を候補としてユーザに提示し、ユーザ操作によって選択させるようにしている（例えば、特許文献１参照）。
【特許文献１】特開２００２−９４８８９号公報
【発明の開示】
【発明が解決しようとする課題】
【０００３】
ところで、従来の三桁番号入力選局においても、提供されるすべてのサービスの中から所望のサービスにダイレクトに選局することが可能となっているが、三桁番号をすべて入力する必要があるため、その他の選局方法に比べユーザが多くの操作を行なわなくてはならない、という問題があった。
【０００４】
そこで、本発明は、デジタル放送番組の三桁番号による選局をなるべく簡単にすることができるデジタル放送受信装置およびデジタル放送受信方法を提供することを目的とする。
【課題を解決するための手段】
【０００５】
上記目的を達成するため、本発明のデジタル放送受信装置では、三桁番号の入力によりデジタル放送番組を選局し受信するデジタル放送受信装置であって、前記デジタル放送番組の三桁番号を入力する入力手段と、前記入力手段によって三桁番号が入力された場合、前記デジタル放送番組間の番組共有情報を参照して前記デジタル放送番組を選局する選局手段と、を有するものである。
【０００６】
ここで、例えば、前記番組共有情報は、前記デジタル放送番組と共に放送されるＳＩ(Service Information)情報に含まれるＥＩＴ（Event Information Table）情報のイベント共有情報である。
【０００７】
また、本発明のデジタル放送受信方法では、三桁番号の入力によりデジタル放送番組を選局し受信する際のデジタル放送受信方法であって、前記デジタル放送番組の三桁番号を入力するステップと、前記入力手段によって三桁番号が入力された場合、前記デジタル放送番組間の番組共有情報を参照して前記デジタル放送番組を選局するステップと、を有するものである。
【発明の効果】
【０００８】
本発明のデジタル放送受信装置およびデジタル放送受信方法によれば、デジタル放送番組の三桁番号を入力した場合、番組案内データに含まれるデジタル放送番組間の番組共有情報を参照してデジタル放送番組を選局するので、三桁番号入力途中であっても選局対象のサービスが一つに特定でき、従来の三桁番号入力選局よりも少ない操作で選局を完了することができる。
【発明を実施するための最良の形態】
【０００９】
実施の形態１．
次に、本発明の実施の形態１を説明する。
【００１０】
図１は、本発明の実施の形態１に係るデジタル放送受信装置の構成を示すブロック図である。
【００１１】
図１において、このデジタル放送受信装置は、デジタル放送番組の番組データや番組案内データを受信する受信部１１と、デジタル放送の番組を選局する選局手段としての選局部１２と、ユーザから三桁番号入力選局モードの設定から三桁番号入力選局によるチャンネル選局指令や音量調整指令等の各種操作指令を受け付ける入力受付け部１３と、受信部１１が受信したデジタル放送で送出されている番組案内データとしてのるＥＩＴ（Event Information Table）などのＳＩ(Service Information)情報を蓄積するＳＩ情報蓄積部１４と、ユーザ等が三桁番号入力選局モードの設定や三桁番号入力選局によるチャンネル選局指令や音量調整指令等の各種操作指令を送信する入力手段としてのリモコン１５とを有している。
【００１２】
図２は、このデジタル放送受信装置が受信するＳＩ(Service Information)情報の一例を示している。
【００１３】
ＳＩ(Service Information)情報２１は、放送電波内で映像や音声とは別に、sectionという形でデジタル放送番組に挿入されている。ＳＩ情報２１は、受信部１１、選局部１２を経て抽出されデジタルデータとしてＳＩ情報蓄積部１４に入力され蓄積される。ＳＩ情報２１には、番組毎に電子番組案内表の元となるＥＩＴ（Event Information Table）が含まれており、ＥＩＴ（Event Information Table）は、イベント名（番組名）やイベント内容（番組内容）などイベント（番組）に関する情報が記載されている。そして、ＥＩＴには、他サービス（チャンネル）と同一内容の番組を放送するサービスを指定する番組共有情報であるイベント共有情報もここに含まれ、これはevent_group_descriptorに記載されている。
【００１４】
event_group_descriptorには、イベント共有情報以外の情報も記載されるが、group_typeにより区別される。つまり、group_typeに１が記載された場合にイベント共有情報であると判断できる。group_typeが１の場合は、イベント共有先のservice_idと、イベント共有先のevent_idがあわせて記載される。
【００１５】
次に、本実施の形態１の動作を説明する。
【００１６】
図３は、本実施の形態１のデジタル放送受信装置における三桁番号による番組選局手順を示すフローチャートである。
【００１７】
まず、選局部１２では、入力受付け部１３を介してリモコン１５よりユーザからの選局指令を受け付けており、リモコン１５から選局指令を受けると、その選局指令がリモコン１５上に設けられた三桁番号入力選局モード選択キー等の押下による三桁番号入力選局モードの指令であるか否かを判断する（Ｓ３１０“ＹＥＳ”）。ここで、三桁番号入力選局モードでなければ（Ｓ３１０“ＮＯ”）、他の選局モード、例えば、放送チャンネル（サービス）番号の直接入力モードにより、放送チャンネルの選局を行い（Ｓ３１５）、選局処理を終了する。
【００１８】
これに対し、三桁番号入力選局モードである場合には（Ｓ３１０“ＹＥＳ”）、選局部１２は、ユーザ操作によりリモコンなどから三桁番号の数字キー(０-９)の入力が行なわれるのを待ち、入力受付け部１３を介し数字キーの入力を１桁ずつ受け付ける（Ｓ３２０）。
【００１９】
そして、数字キー１桁の入力があると、選局部１２は、１桁毎に入力された数字をもとに、選局対象となるサービス（チャンネル）を検索し（Ｓ３３０）、選局対象サービスが検出されたか否かを判定する（Ｓ３４０）。ここで、選局部１２は、選局対象となるサービスを検索するステップ３３０の処理では、入力された数字を蓄積しておき、順に３桁目,２桁目,１桁目として認識し、この情報をもとに選局対象となるサービスを検索する。なお、３桁番号入力のサービス（チャンネル）は、例外的に４桁以上の場合もあるが、基本的には３桁で一意に識別できるため、基本的には３回以上繰り返すことはない。
【００２０】
図４は、サービス一覧から一致するサービスを検索した状態の一例を示した図である。
【００２１】
図４において、４１０は３桁番号入力の全サービスの一覧を示しており、例えば、３桁番号として、“１１１、１１２、１２１、１２２、１２３、２０１、２１１、３３３、…”の番組があるものとする。
【００２２】
ここで、ユーザにより最初の桁として“２”が入力された場合、三桁目が“２”で始まるサービスの検索を行い、選局部１２は、検索結果として“２０１”、“２１１”の選局可能サービス４２０を得る。
【００２３】
三桁目に”２”が入力された状態で、二桁目に”１”が入力された場合は、三桁目が“２”、二桁目が“１”で始まるサービスの検索を行い、検索結果として“２１１”の選局可能サービス４３０を得ることになる。もし、入力途中において選局対象となるセービスがなくなった場合は、メッセージ等を表示することによって、ユーザに選局対象となるサービスがなくなった事を通知することが可能である。
【００２４】
図３に戻り、選局対象サービスが検出されない場合（Ｓ３４０“ＮＯ”）、選局部１２は、ステップＳ３２０の処理に戻り、ユーザ操作による次の数字キーの入力を受け付ける。
【００２５】
これに対し、選局対象サービスが検出された場合（Ｓ３４０“ＹＥＳ”）、選局部１２は、ＳＩ情報蓄積部１５に蓄積されたＳＩ情報中のＥＩＴ情報に記載されているイベント共有情報を参照して、検出した選局対象サービスの中に、同一のイベントを共有した選局対象サービスが複数あるか否かを判断する（Ｓ３５０）。
【００２６】
そして、同一のイベントを共有した選局対象サービスが複数ある場合（Ｓ３５０“ＹＥＳ”）、選局部１２は、イベント共有情報が同一の選局対象サービスを１つにまとめる処理を行う（Ｓ３６０）。選局対象サービスを１つにまとめる処理とは、例えば、図４に示すように、ユーザが“１２”まで入力したところで、選局部１２により、同一のイベントを共有した選局対象サービスとして“１２１”、“１２２”、“１２３”の３つがある場合、例えば、一番、番号の小さい“１２１”にまとめたりする。勿論、“１２２”にまとめたり、重複しない新規なサービス“１２９”」等にまとめるようにしても勿論よい。
【００２７】
なお、同一のイベントを共有した選局対象サービスが複数ない場合（Ｓ３５０“ＮＯ”）、選局部１２は、Ｓ３６０のイベント共有情報が同一の選局対象サービスを１つにまとめる処理は、行わない。
【００２８】
次に、イベント共有情報が同一の選局対象サービスを１つにまとめるステップ３６０の処理について説明する。
【００２９】
図５は、イベントが共有されている場合のサービスと放送イベントとの一例を示す図である。
【００３０】
図５は、三桁番号の１１１、１１２のサービス（チャンネル）は、それぞれ、放送イベントのイベントＡ、イベントＢが対応しており、三桁番号の１２１、１２２、１２３のサービス（チャンネル）は、放送イベントのイベントＣを共有、すなわち同じ放送番組に対応しているものとし、イベント共有情報により共通のイベントを共有している。
【００３１】
図５において、選局可能サービス５１０は、三桁目に“１”が入力された状態であり、三桁目が“１”で始まるサービスの検索がおこなわれた結果として、５つのサービスが選局対象となっている。
【００３２】
しかし、サービス１２１,１２２,１２３がＳＩ情報のＥＩＴ情報によりイベント共有によって同一のイベントを放送しているため、実際は、イベント（番組）はＡ、Ｂ、Ｃの３種類のみである。
【００３３】
このため、本実施の形態では、図２に示すように、ＳＩ情報の一つであるＥＩＴに記載されているevent_group_descriptor内の、group_typeと、service_id、event_idのイベント共有情報をもとに、イベントの共有を検出し、同一のイベント（番組）を放送しているサービスの重複を取り除く処理を行なう。
【００３４】
その結果、本実施の形態によれば、選局対象となるサービスは、選局可能サービス５２０のように３つのサービスにまとめることができる。なお、同一放送のイベント共有を行なっている複数のサービスから、一つのサービスを選択する方法はイベント共有先を優先する、サービス番号の小さいものを優先する、などが考えられる。
【００３５】
そして、選局部１２は、選局対象サービスが１つに特定できたか否かを判断し（Ｓ３７０）、選局対象サービスが放送イベント１つに特定されない場合（Ｓ３７０“ＮＯ”）、ステップＳ３２０の処理に戻り、ユーザ操作による数字の入力を受け付けに戻る一方、選局対象サービスが放送イベント１つに特定された場合（Ｓ３７０“ＹＥＳ”）、その１つに特定された選局対象サービスを選局する（Ｓ３８０）。
【００３６】
これにより、例えば、ユーザが“１２”まで入力したところで、図５の選局可能サービス５１０に示すように、選局部１２により、同一のイベントを共有した選局対象サービスとして“１２１”、“１２２”、“１２３”の３つある場合でも、ステップ３７０の処理により、例えば図５の選局可能サービス５２０に示すように一番番号の小さい“１２１”にまとめられるので、ユーザが“１２”まで入力したところで、“１２１”のサービス（チャンネル）により、放送イベントＣを選局することが可能となる。
【００３７】
このように、本実施の形態１によれば、ユーザが多数の不特定なサービスの中から一つのサービスを選局しようとする際に、三桁番号入力途中であっても、ＥＩＴ情報に記載されているイベント共有情報を参照することにより、イベント（番組）が同一である複数の選局対象サービスを一つにまとめるようにしたので、従来の三桁番号入力選局よりも少ない操作で選局を完了することができる。
【００３８】
なお、上記実施の形態では、イベント（番組）の選局時にＥＩＴ情報に記載されているイベント共有情報を参照することにより、イベント（番組）が同一である複数の選局対象サービスを一つにまとめるようにしたが、本発明では、これに限らず、ＥＰＧ(電子番組表)などの各番組案内サービス情報を提示する場面のように、ユーザに複数のサービスから特定のサービスを選択してもらう場面において、イベント共有情報を参照することにより、イベント（番組）が同一である複数の選局対象サービスを一つにまとめるようにしても勿論よい。
【００３９】
また、上記実施の形態では、図３に示すように、ステップ３４０の判断にて選局対象サービスが検出された場合（Ｓ３４０“ＹＥＳ”）、続いてステップＳ３５０によりＳＩ情報蓄積部１５を参照して、検出した選局対象サービスの中に、同一のイベントを共有した選局対象サービスが複数あるか否かを判断するように説明したが、本発明では、これに限らず、例えば、図６に示すように、ステップ３４０の判断にて選局対象サービスが検出された場合（Ｓ３４０“ＹＥＳ”）、続いて選局対象サービスが１つに特定できたか否かを判断し（Ｓ３４５）、選局対象サービスが放送イベント１つに特定されない場合（Ｓ３４５“ＮＯ”）、ステップＳ３５０によりＳＩ情報蓄積部１５を参照して、検出した選局対象サービスの中に、同一のイベントを共有した選局対象サービスが複数あるか否かを判断する一方、選局対象サービスが放送イベント１つに特定された場合（Ｓ３４５“ＹＥＳ”）、ステップ３５０〜３７０の処理をスキップしてステップＳ３８０の１つに特定された選局対象サービスを選局する処理を行うようにしても勿論よい。
【００４０】
また、本実施の形態では、番組共有情報の一例として、デジタル放送番組と共に放送されるＳＩ(Service Information)情報に含まれるＥＩＴ（Event Information Table）情報のイベント共有情報により説明したが、本発明では、これに限らず、番組共有情報がインターネット等により供給されるようにしても勿論よい。
【図面の簡単な説明】
【００４１】
【図１】本発明の実施の形態１に係るデジタル放送受信装置の構成を示すブロック図である。
【図２】ＥＩＴ（Event Information Table）情報の構造の一例を示す図である。
【図３】実施の形態１のデジタル放送受信装置における三桁番号による番組選局手順を示すフローチャートである。
【図４】サービス一覧から一致するサービスを検索した状態の一例を示した図である。
【図５】イベントが共有されている場合のサービスと放送イベントとの一例を示す図である。
【図６】実施の形態１のデジタル放送受信装置における他の三桁番号による番組選局手
【符号の説明】
【００４２】
１１  受信部
１２  選局部
１３  入力受付け部
１４  ＳＩ情報蓄積部
１５  リモコン
【図１】
2008035030.tif 000003
【図２】
2008035030.tif 000004
【図３】
2008035030.tif 000005
【図４】
2008035030.tif 000006
【図５】
2008035030.tif 000007
【図６】
2008035030.tif 000008